【手続補正書】
【提出日】平成29年6月16日(2017.6.16)
【手続補正１】
【補正対象書類名】特許請求の範囲
【補正対象項目名】全文
【補正方法】変更
【補正の内容】
【特許請求の範囲】
【請求項１】
第１空間（１０１）、および、前記第１空間とは異なる空間である第２空間（１０２）に接続するよう設けられ、前記第１空間内の燃料の圧力を低減可能なリリーフ弁（１）であって、
筒状の内壁である筒状内壁（２１）、前記筒状内壁の内側の空間である内側空間（１０３）と前記第２空間とを接続するよう形成される穴部（２５）、および、前記筒状内壁に形成された前記穴部の開口である穴部開口（２６）を有するボディ部（２０）と、
前記筒状内壁の一端を塞ぎ、前記内側空間と前記第１空間とを接続するよう形成される弁孔（４１）、および、前記弁孔の前記内側空間側の端部の径外側に環状に形成される弁座（４２）を有する弁座部（４０）と、
前記ボディ部内を軸方向に往復移動可能に設けられる弁本体（５１）、前記弁本体の外壁のうち前記筒状内壁に摺動する外壁である摺動外壁（５５）、および、前記弁本体の前記弁座側に形成され前記弁座に当接可能なシート部（５８）を有し、前記筒状内壁に対する前記弁本体の軸方向の位置により容積が変化するとともに前記弁孔および前記穴部に連通可能な中間室（１０４）を前記筒状内壁および前記弁座部との間に形成し、前記シート部が前記弁座から離間すると前記弁孔と前記中間室とを連通し、前記シート部が前記弁座に当接すると前記弁孔と前記中間室とを遮断する弁部材（５０）と、
前記弁部材を前記弁座部側に付勢する付勢部材（６０）と、を有するリリーフ弁と、
燃料を吸入し加圧する加圧室（１２）、前記加圧室に吸入される燃料が流れる吸入通路（１３）、および、前記加圧室で加圧され吐出される燃料が流れる吐出通路（１４）を有するハウジング（１１）と、を備え、
前記弁部材は、軸方向の移動可能範囲の中に少なくとも「前記弁部材が前記弁座部から離れる方向に移動するに従い、前記穴部開口と前記摺動外壁とが重なる面積である重なり面積（Ｓｐ）が次第に小さくなるとともに、前記中間室と前記穴部との間の最小の流路面積である最小流路面積（Ｓｆ）が次第に大きくなる特定範囲」を含み、
前記第１空間は、前記吐出通路内の空間、または、前記吐出通路に連通する空間であり、
前記第２空間は、前記吸入通路内の空間、または、前記加圧室とは反対側において前記吸入通路に連通する空間（１５）である高圧ポンプ。
【請求項２】
前記シート部が前記弁座に当接しているとき、前記中間室と前記穴部とは非連通である請求項１に記載の高圧ポンプ。
【請求項３】
前記弁部材が前記弁座部から離れる方向に移動するのを規制可能な移動規制部（７４）をさらに備える請求項１または２に記載の高圧ポンプ。
【請求項４】
前記弁部材は、前記シート部が前記弁座に当接した状態において、前記穴部開口に対応する位置に前記摺動外壁から径内方向へ凹むよう形成される凹部（５９）を有する請求項１〜３のいずれか一項に記載の高圧ポンプ。
【請求項５】
前記穴部開口は、形状が円形、矩形、または、三角形に形成されている請求項１〜４のいずれか一項に記載の高圧ポンプ。
【手続補正２】
【補正対象書類名】明細書
【補正対象項目名】発明の名称
【補正方法】変更
【補正の内容】
【発明の名称】高圧ポンプ
【手続補正３】
【補正対象書類名】明細書
【補正対象項目名】０００１
【補正方法】変更
【補正の内容】
【０００１】
本発明は、空間内の燃料の圧力を低減可能なリリーフ弁を用いた高圧ポンプに関する。
【手続補正４】
【補正対象書類名】明細書
【補正対象項目名】０００７
【補正方法】変更
【補正の内容】
【０００７】
本発明は、上述の問題に鑑みてなされたものであり、その目的は、空間内の燃料の圧力を低減するとき、当該空間内の燃料の圧力の脈動を抑制可能なリリーフ弁を用いた高圧ポンプを提供することにある。
【手続補正５】
【補正対象書類名】明細書
【補正対象項目名】０００８
【補正方法】変更
【補正の内容】
【０００８】
本発明に係る高圧ポンプは、第１空間、および、第１空間とは異なる空間である第２空間に接続するよう設けられ、第１空間内の燃料の圧力を低減可能なリリーフ弁とハウジングとを備える。リリーフ弁は、ボディ部と弁座部と弁部材と付勢部材とを有している。
【手続補正６】
【補正対象書類名】明細書
【補正対象項目名】０００９
【補正方法】変更
【補正の内容】
【０００９】
ボディ部は、筒状の内壁である筒状内壁、筒状内壁の内側の空間である内側空間と第２空間とを接続するよう形成される穴部、および、筒状内壁に形成された穴部の開口である穴部開口を有する。弁座部は、筒状内壁の一端を塞ぎ、内側空間と第１空間とを接続するよう形成される弁孔、および、弁孔の内側空間側の端部の径外側に環状に形成される弁座を有する。
【手続補正７】
【補正対象書類名】明細書
【補正対象項目名】００１０
【補正方法】変更
【補正の内容】
【００１０】
弁部材は、ボディ部内を軸方向に往復移動可能に設けられる弁本体、弁本体の外壁のうち筒状内壁に摺動する外壁である摺動外壁、および、弁本体の弁座側に形成され弁座に当接可能なシート部を有する。弁部材は、筒状内壁に対する弁本体の軸方向の位置により容積が変化するとともに弁孔および穴部に連通可能な中間室を筒状内壁および弁座部との間に形成する。弁部材は、シート部が弁座から離間すると弁孔と中間室とを連通し、シート部が弁座に当接すると弁孔と中間室とを遮断する。これにより、弁部材は、シート部が弁座から離間すると弁孔と中間室との間の燃料の流れを許容し、シート部が弁座に当接すると弁孔と中間室との間の燃料の流れを規制する。付勢部材は、弁部材を弁座部側に付勢する。
ハウジングは、燃料を吸入し加圧する加圧室、加圧室に吸入される燃料が流れる吸入通路、および、加圧室で加圧され吐出される燃料が流れる吐出通路を有している。
【手続補正８】
【補正対象書類名】明細書
【補正対象項目名】００１２
【補正方法】変更
【補正の内容】
【００１２】
本発明では、第１空間内の燃料の圧力が弁部材の開弁圧以上になると、シート部が弁座から離れて開弁する。これにより、第１空間に連通する中間室内の燃料の圧力が増大すると、弁部材は、弁座部から離れる方向に移動する。特定範囲では、弁部材が弁座部から離れるほど、中間室と穴部との間の最小流路面積が大きくなるため、中間室内の燃料の圧力が大きくなるほど、中間室から穴部に流れる燃料の流量が多くなる。これにより、中間室に連通する第１空間の燃料の圧力を速やかに低減することができる。
【手続補正９】
【補正対象書類名】明細書
【補正対象項目名】００１３
【補正方法】変更
【補正の内容】
【００１３】
また、本発明では、弁部材が弁座部に近づく方向に移動するとき、特定範囲では、穴部開口と摺動外壁との重なり面積が次第に大きくなるとともに、中間室と穴部との間の最小流路面積が次第に小さくなる。そのため、中間室から穴部に燃料が流れることで中間室内の燃料の圧力が低減し、弁部材が弁座部側に移動するとき、中間室から穴部への燃料の流れは徐々に絞られる。これにより、「中間室から穴部への燃料の流れが急に絞られ、中間室内の燃料の圧力が再び急激に増大すること」が抑制される。したがって、第１空間内の燃料の圧力を低減するとき、中間室内の燃料、および、中間室に連通する第１空間内の燃料に圧力の脈動が生じるのを抑制することができる。
また、本発明では、第１空間は、吐出通路内の空間、または、吐出通路に連通する空間である。第２空間は、吸入通路内の空間、または、加圧室とは反対側において吸入通路に連通する空間である。